(57)【要約】【課題】従来よりも容易に缶体を持ち上げて傾けることができ、注出作業の作業性を向上させることが可能な缶体保持具を提供する。【解決手段】缶体保持具１０は、鉛直方向に延びる支柱１２と、支柱１２の下端部に取り付けられ水平方向に延びる下板１４と、支柱１２の上端部に取り付けられ水平方向に延びる上板１６と、使用者によって把持される把持部材２０，２２と、を備えている。下板１４は、支柱１２に近接して配置された一斗缶１の下側縁部５の下方を覆うとともに、一斗缶１の下側縁部５の厚み方向の支柱１２とは反対側に位置し且つ上向きに突出する下板突状部２６を備え、また上板１６は、一斗缶１の上側縁部６の上方を覆うとともに、一斗缶１の上側縁部６の厚み方向の支柱１２とは反対側に位置し且つ下向きに突出する上板突状部４６を備えている。【選択図】        図８
2020128277.tif 000002
【特許請求の範囲】
【請求項１】
鉛直方向に延びる支柱と、
前記支柱の下端部に取り付けられ水平方向に延びる下板と、
前記支柱の上端部に取り付けられ水平方向に延びる上板と、
使用者によって把持される把持部材と、を備え、
前記下板は、前記支柱に近接して配置された缶体の下側縁部の下方を覆うとともに、前記下側縁部の厚み方向の前記支柱とは反対側に位置し且つ上向きに突出する下板突状部を備え、
前記上板は、前記缶体の上側縁部の上方を覆うとともに、前記上側縁部の厚み方向の前記支柱とは反対側に位置し且つ下向きに突出する上板突状部を備えていることを特徴とする缶体保持具。
【請求項２】
前記上板は、水平方向に延びて前記缶体の上端近傍を閉鎖する閉位置から、前記缶体の上方を開放する開位置に移動可能に構成されていることを特徴とする請求項１に記載の缶体保持具。
【請求項３】
前記支柱の上端部には、前記上板の鉛直方向の移動を規制し且つ前記上板の水平方向の移動を許容するガイド部材が設けられていることを特徴とする請求項１，２の何れかに記載の缶体保持具。
【請求項４】
前記把持部材は、前記下板と前記上板とにそれぞれ一体に取り付けられており、前記支柱に対し前記下板突状部もしくは上板突条部とは反対の側に延び出していることを特徴とする請求項１〜３の何れかに記載の缶体保持具。
【請求項５】
前記缶体が角筒形状を成すものであって、前記支柱を前記缶体の角部周面に外嵌可能な折れ曲り形状としたことを特徴とする請求項１〜４の何れかに記載の缶体保持具。
【発明の詳細な説明】
【技術分野】
【０００１】
この発明は、缶体を傾けて内容物を注出する作業に使用して好適な缶体保持具に関する。
【背景技術】
【０００２】
油や塗料などを内部に充填した缶体として、四角筒形状の一斗缶や円筒形状のペール缶が使用されている。これら缶体から内容物を注出する際には、重量物の缶体を持ち上げ、傾けなければならず、その作業は作業者にとって大きな負担となる。一斗缶の天板中央には、通常、缶体を持ち上げるための取手部が設けられているが、特に缶内に充填されている内容物を一度に全部取り出す必要がある場合には、天板全体を切り離し、缶体の上面を全面開口とすることもあり、このとき天板に設けられていた取手部も取り除かれてしまう。このような場合は、缶体を保持するのに適当な取手部も無く、作業性が更に悪化してしまう。
【０００３】
尚、下記特許文献１には、床面に縦置きされた容器の側面に当接し容器を保持する起立容器受け部と、起立容器受け部を容器と共に傾斜状態にして保持する傾斜容器受け部と、起立容器受け部の底から傾斜容器受け部へと伸びる案内部とが一体化されてなる容器傾斜装置が開示されている。しかしながら、このような容器傾斜装置は大型なものとなってしまうため、装置自体を移動させたり、また持ち上げたりすることが困難となり、注出作業の自由度が低下してしまう。
【先行技術文献】
【特許文献】
【０００４】
【特許文献１】特開２００５−１５０９０号公報
【発明の概要】
【発明が解決しようとする課題】
【０００５】
本発明は以上のような事情を背景とし、従来よりも容易に缶体を持ち上げて傾けることができ、注出作業の作業性を向上させることができる缶体保持具を提供することを目的としてなされたものである。
【課題を解決するための手段】
【０００６】
而して本発明の缶体保持具は、鉛直方向に延びる支柱と、前記支柱の下端部に取り付けられ水平方向に延びる下板と、前記支柱の上端部に取り付けられ水平方向に延びる上板と、使用者によって把持される把手部材と、を備え、
前記下板は、前記支柱に近接して配置された缶体の下側縁部の下方を覆うとともに、前記下側縁部の厚み方向の前記支柱とは反対側に位置し且つ上向きに突出する下板突状部を備え、前記上板は、前記缶体の上側縁部の上方を覆うとともに、前記上側縁部の厚み方向の前記支柱とは反対側に位置し且つ下向きに突出する上板突状部を備えていることを特徴とする。
【０００７】
本発明によれば、缶体保持具に把持部材が設けられており、使用者は缶体保持具、詳しくは缶体保持具の把持部材を介して缶体のハンドリングを行うことができるため、不安定な状態で缶体を直接手で掴んで注出作業を行わなくてもよい。また、使用者が缶体保持具を介して缶体を持ち上げ前方に傾けた場合でも、支柱に近接して配置された缶体の下端側と上端側が、それぞれ下板突条部を含む下板と上板突条部を含む上板により係合保持されるため、缶体の落下や倒れ込みを防止し得て、缶体と缶体保持具とを一体的に取り扱うことができる。このため本発明の缶体保持具を用いることで、缶体からの注出作業の作業性を向上させることができる。
【０００８】
本発明では、前記上板を、水平方向に延びて前記缶体の上端近傍を閉鎖する閉位置から、前記缶体の上方を開放する開位置に移動可能に構成することができる。このようにすれば、缶体を缶体保持具にセットする際に、上板を開位置に移動させておくことで、上板と干渉することなく缶体を支柱に近接して配置することができる。
【０００９】
ここで本発明では、前記支柱の上端部に、前記上板の鉛直方向の移動を規制し且つ前記上板の水平方向の移動を許容するガイド部材を設けておくことができる。このようにすれば、上板を上記のように閉位置と開位置に移動可能な構成とした場合でも、注出作業中などに意図せず上板が開位置に移動してしまうのをガイド部材によって良好に防止することができる。
【００１０】
本発明では、前記把持部材を、前記下板と前記上板とにそれぞれ一体に取り付け、前記支柱に対し前記下板突状部もしくは上板突条部とは反対の側に延び出す構成とすることができる。このようにすれば、下板に作用する缶体の荷重および上板に作用する缶体の荷重を、把持部材を介して使用者が支持することができる。また缶体の上端側と下端側を個別的にハンドリングすることが可能となるため、使用者は缶体を前後方向に傾ける動作を容易に行うことができる。
【００１１】
本発明では、前記缶体が角筒形状を成すものであって、前記支柱を前記缶体の角部周面に外嵌可能な折れ曲り形状とすることができる。このようにすれば、剛性の高い缶体の角部近傍を缶体保持具で保持することができる。また注出用の開口が設けられている角部と対向する位置の隅角部を缶体保持具で保持すれば、注出作業時に注出用の開口が下方に位置することとなり容易に内容物を取り出すことができる。
【図面の簡単な説明】
【００１２】
【図１】本発明の一実施形態の缶体保持具の斜視図である。
【図２】図１の缶体保持具の側面図である。
【図３】（Ａ）は缶体保持具の横断面図で図２のIII−III部位に対応する。（Ｂ）は（Ａ）のＢ−Ｂ断面図である。
【図４】（Ａ）は缶体保持具の横断面図で図２のIV−IV部位に対応する。（Ｂ）は（Ａ）のＢ−Ｂ断面図である。
【図５】上板を開位置に移動した状態での缶体保持具の上端部を示した図で（Ａ）は平面図、（Ｂ）は側面図である。
【図６】（Ａ）は上板をガイド溝に挿入した状態での缶体保持具の平面図である。（Ｂ）は（Ａ）のＢ−Ｂ断面図である。
【図７】（Ａ）は一斗缶の全体斜視図、（Ｂ）は上面を全面開口した一斗缶の上端側を示した図である。
【図８】図１の缶体保持具の作用説明図である。
【図９】図８に続く作用説明図である。
【図１０】図９に続く作用説明図である。
【図１１】図１０に続く作用説明図である。
【図１２】本発明の他の実施形態の缶体保持具の側面図である。
【図１３】図１２のXIII−XIII断面図である。
【図１４】図１２の缶体保持具の一部を切り欠いて示したXIV−XIV視図である。
【発明を実施するための形態】
【００１３】
次に本発明の一実施形態の缶体保持具を、図面に基づいて説明する。図１，２において、１０は四角筒形状の一斗缶の注出作業に用いて好適な缶体保持具である。
【００１４】
缶体としての一斗缶１は、図７（Ａ）に示すように、底板２と天板３と筒状の胴部４とを有する四角筒形状をなしている。底板２および天板３は略正方形状で、その周囲において胴部４と巻締結合されている。底板２の周囲には下向きに突出する巻締部としての下側縁部５が形成され、また天板３の周囲には上向きに突出する巻締部としての上側縁部６が形成されている。
【００１５】
天板３の１つの角部近傍には小さな開口７が形成され、中央部には取手部８が設けられている。図７（Ｂ）は、一斗缶１の天板３を取り除いて大きな開口９が形成された状態を示している。缶内に充填されている内容物を一度に全部取り出す必要がある場合には、このように大きな開口９を設けることが作業時間短縮のためには有効である。ただし、この場合、天板３に設けられていた取手部８も取り除かれてしまう。
【００１６】
このような一斗缶１を保持するために用いられる缶体保持具１０は、図１に示すように、鉛直方向に延びる支柱１２と、支柱１２の下端部に取り付けられ水平方向に延びる下板１４と、支柱１２の上端部に取り付けられ水平方向に延びる上板１６と、使用者によって把持される一対の把持部材２０，２２と、を備えている。なお、以下の説明では、支柱１２の長手方向を上下方向、把持部材２０，２２が延出する方向を前後方向、これら上下方向及び前後方向と直交する方向を左右方向とする。
【００１７】
支柱１２は、一斗缶１と略同等の高さ寸法を有している。支柱１２の横断面形状は、図３に示すように折れ曲り部１２ｂで直角に折れ曲がった略Ｖ字状をなしており、支柱１２の凹部１２ａに一斗缶１の角部を収容可能とすることで、一斗缶１を支柱１２に近接配置可能とされている。
【００１８】
下板１４は、一斗缶１の下端側を保持するための部材である。図３に示すように、平面視四角形状をなし、支柱１２の下端部に取り付けられた状態で、支柱１２の下端を閉鎖し且つ支柱１２の凹部１２ａの側に広く延び出している。凹部１２ａの側に広く延び出した下板１４の上面２４には、支柱１２の折れ曲り部１２ｂを通過する中心線２５に対して対称の位置に、上向きに突出する下板突条部としてのブロック体２６，２６がネジ固定されている。
【００１９】
ブロック体２６は、直方体形状をなし、側面２７が対向する支柱１２の内面１２ｃと平行となるよう、支柱１２の内面１２ｃから寸法ｔだけ離間した位置に取り付けられており、支柱１２とブロック体２６との間には図３（Ｂ）で示すように上向きに開放する凹部２８が形成されている。ここで、寸法ｔは、一斗缶１の下側縁部５の厚みよりも広く設定されており、支柱１２に近接して配置された一斗缶１の下向きに突出する下側縁部５が凹部２８に収容可能とされている。
【００２０】
なお、下板突条部の形態はこれに限定されるものではなく、適宜変更可能である。例えば、下板突条部としてのブロック体２６は、ネジ固定に換えて溶接等により下板１４に一体接合することも可能である。また、缶体保持具を介して一斗缶１を持ち上げて前方に傾けたとき、一斗缶１の下側縁部５と係合可能な突状部を有するものであれば、直方体形状以外の形状とすることも可能である。また場合によっては、下板１４の一部をプレス加工等によって上向きに突出させて下板突条部を形成することも可能である。
【００２１】
また、下板１４の上面２４には把持部材２０が一体に接合されている。把持部材２０は、一対の棒状の腕部３０と、腕部３０同士を繋ぐ取手部３２を備え（図１参照）、平面視コ字形状をなしている。把持部材２０は、全体として支柱１２に対しブロック体２６とは反対の側に延び出す形態で、腕部３０の一端側（取手部３２とは反対側）が下板１４と一体に接合されている。腕部３０は、図１，２に示すように下板１４に近い側の部位が水平に延び出しており、缶体保持具１０を床面等に載置した場合の安定化（転倒防止）が図られている。一方、取手部３２に近い側の部位は上向きに曲げられており、取手部３２の周りに、使用者が容易に取手部３２を掴むためのスペースが確保されている。
【００２２】
次に、缶体保持具１０の上側部位の構造について説明する。支柱１２の上端部には、図５に示すように、回動可能に支持された上板１６と、上板１６の鉛直方向の移動を規制するとともに上板１６の水平方向の移動を許容するガイド部材３５が設けられている。
【００２３】
ガイド部材３５は、支柱１２の上端を覆う平板状の第１ガイド部材３６と、第１ガイド部材３６の上面に取り付けられた一対の第２ガイド部材３８，３８にて構成されている。
【００２４】
第１ガイド部材３６は、水平方向に延びる平板状の部材で、上板１６の下側に位置して上板１６を水平状態で支持する部材である。第１ガイド部材３６は、前側の辺が略Ｖ字状に切り欠かれ、支柱１２の内面１２ｃと面一とされている。
【００２５】
図６（Ｂ）に示すように、一対の第２ガイド部材３８，３８は、左右方向に離間して対向配置されている。各第２ガイド部材３８は、垂直部材と水平部材とが組み合わされており、第１ガイド部材３６の上面側にガイド溝３９が形成されている。左右方向に対向して形成された一対のガイド溝３９，３９は、上板１６の左右方向の各端部が挿入可能とされている。
【００２６】
上板１６は、一斗缶１の上端側を保持するための部材である。図６（Ａ）に示すように、上板１６は平面視略四角形状をなし、上板１６の前方側の左右方向の両端部には、外向きに突出したストッパ片４１，４１が形成されている。上板１６は、ストッパ片４１を第２ガイド部材３８の前端面４０に当接させた状態で一斗缶１の上端側を保持する。
【００２７】
上板１６の下面には、図４（Ａ）に示すように、支柱１２の折れ曲り部１２ｂを通過する中心線２５に対して対称の位置に、下向きに突出する上板突条部としてのブロック体４６，４６がネジ固定されている。ブロック体４６は、直方体形状をなし、上板１６のストッパ片４１を第２ガイド部材３８の前端面４０に当接させた状態で、図４に示すようにブロック体４６の側面４７が、対向する支柱１２の内面１２ｃと平行となるよう、支柱１２の内面１２ｃから寸法ｔ２だけ離間した位置に取り付けられており、図４（Ｂ）で示すように、ブロック体４６と支柱１２との間には下向きに開放する凹部４８が形成されている。ここで、寸法ｔ２は、一斗缶１の上側縁部６の厚みよりも広く設定されており、支柱１２に近接して配置された一斗缶１の上向きに突出する上側縁部６が凹部４８に収容可能とされている。なお、上述した下板突条部の場合と同様に、上板突条部の形態は本例に限定されるものではなく適宜変更可能である。
【００２８】
また、図６に示すように、上板１６の上面４２には把持部材２２が一体に接合されている。把持部材２２は、一対の棒状の腕部４３と、腕部４３同士を繋ぐ取手部４５を備え、平面視略コ字形状をなしている。把持部材２２は、全体として支柱１２に対しブロック体４６とは反対の側に延び出す形態で、腕部４３の一端側（取手部４５とは反対側）が上板１６と一体に接合されている。
【００２９】
かかる把持部材２２は、蝶番５０及び保持部材５１を介して第１ガイド部材３６に連結されている。把持部材２２と一体をなす上板１６は、図５（Ｂ）の矢印で示すように上下方向（起伏方向）に回動可能とされ、上板１６は、水平方向に延び、支柱１２に近接して配置された一斗缶１の上側縁部６の上方を覆う閉位置（図２参照）から、一斗缶１の上方を開放する開位置（図８参照）に移動可能とされている。
【００３０】
次に、本実施形態の缶体保持具１０を用いて一斗缶１を持ち上げ可能に保持する手順について説明する。ここでは、図７（Ｂ）で示す全面開口された一斗缶１を保持するものとする。まず、床面等に缶体保持具１０を載置し、上板１６を上方に回動して開位置に移動させる。そして、図８に示すように、支柱１２の凹部１２ａに一斗缶１の角部を添わせるようにして、支柱１２に近接して一斗缶１を配置する。このとき、部分拡大図で示すように一斗缶１の下側縁部５の一部（支柱１２と近接する部分）は、ブロック体２６と支柱１２との間に形成された凹部２８に収容される。
【００３１】
次に、図９に示すように、上板１６を下方に回動して水平状態とし、上板１６で一斗缶１の上側縁部６の上方を覆うようにした後、上板１６の左右方向の端部をガイド溝３９，３９に挿入する。続いて把持部材２２を後方（図６（Ａ）の矢印方向）を引いて、上板１６のストッパ片４１が第２ガイド部材３８の前端面４０と当接する位置まで上板１６を移動させる。このとき、図１０に示すように一斗缶１の上側縁部６の一部（支柱１２と近接する部分）は、ブロック体４６と支柱１２との間に形成された凹部４８に収容される。
【００３２】
このようにすることで、一斗缶１の下端側は、缶体保持具１０の支柱１２の下端部及び下板１４を含む下端側部位にて保持され、また、一斗缶１の上端側は、缶体保持具１０の支柱１２の上端部及び上板１６を含む上端側部位にて保持される。そして使用者は、図１１で示すように上下方向の２箇所に設けられた取手部３２および４５を掴んで、缶体保持具１０とともに一斗缶１を持ち上げ、更に傾けることで、一斗缶１内の内容物を開口９を通じて注出することができる。なお、内容物を注出した後の一斗缶１は、上板１６を開位置に移動させることにより缶体保持具１０から取り外すことができる。
【００３３】
以上のように本実施形態の缶体保持具１０は、使用者によって把持される把持部材２０，２２を備えており、使用者は缶体保持具１０、詳しくは缶体保持具１０の把持部材２０，２２を介して一斗缶１のハンドリングを行うことができるため、不安定な状態で一斗缶１を直接手で掴んで注出作業を行わなくてもよい。
【００３４】
また缶体保持具１０では、支柱１２に近接して配置された一斗缶１の下側縁部５の下方を覆う下板１４が、下側縁部５の厚み方向の支柱１２とは反対側に位置し且つ上向きに突出する下板突状部としてのブロック体２６を備え、更に一斗缶１の上側縁部６の上方を覆う上板１６が、上側縁部６の厚み方向の支柱１２とは反対側に位置し且つ下向きに突出する上板突状部としてのブロック体４６を備えている。このため、図１１に示すように、作業者（使用者）が一斗缶１を持ち上げ前方に傾けた場合でも、ブロック体２６を含む下板１４が一斗缶１の下端側と係合し、またブロック体４６を含む上板１６が一斗缶１の上端側と係合して、一斗缶１の落下・転倒が防止され、一斗缶１と缶体保持具１０とを一体的に取り扱うことができる。
【００３５】
また缶体保持具１０では、上板１６を、水平方向に延びて一斗缶１の上端近傍を閉鎖する閉位置から、一斗缶１の上方を開放する開位置に移動可能に構成している。このため、一斗缶１を缶体保持具１０にセットする際には上板１６を開位置に移動させることで、上板１６と干渉することなく一斗缶１を支柱１２に近接して配置することができる。
【００３６】
また缶体保持具１０では、支柱１２の上端部に、上板１６の鉛直方向の移動を規制し、上板１６の水平方向の移動を許容するガイド部材３５を設けているため、注出作業中などに意図せず上板１６が開位置に移動してしまうのをガイド部材３５によって良好に防止することができる。
【００３７】
また缶体保持具１０では、把持部材２０，２２を、支柱１２に対しブロック体２６，４６とは反対の側に延び出す形態で、下板１４と上板１６にそれぞれ一体に取り付けており、下板１４に作用する一斗缶１の荷重および上板１６に作用する一斗缶１の荷重を、把持部材２０および２２を介して支持することができる。また２つの把持部材２０，２２により一斗缶１の上端側と下端側を個別的にハンドリングすることが可能となるため、使用者は一斗缶１を前後方向に傾ける動作を容易に行うことができる。
【００３８】
また缶体保持具１０では、支柱１２を一斗缶１の角部周面に外嵌可能な折れ曲り形状（略Ｖ字形状）としているため、剛性の高い一斗缶１の角部近傍を缶体保持具１０で保持することができる。また注出用の開口７（図７（Ａ）参照）が設けられている角部と対向する位置の角部を缶体保持具１０で保持すれば、注出作業時に開口７が下方に位置することとなり容易に内容物を取り出すことができる。
【００３９】
図１２〜図１４は、本発明の他の実施形態を示している。本例の缶体保持具１０Ｂは、円筒形状を成すペール缶での注出作業に用いて好適である。缶体保持具１０Ｂは、図１２に示すように、鉛直方向に延びる支柱１３と、支柱１３の下端部に取り付けられ水平方向に延びる下板１４Ｂと、支柱１３の上端部に取り付けられ水平方向に延びる上板１６Ｂと、使用者によって把持される一対の把持部材２０，２２と、を備えている。これらの構成各部のうち、上記缶体保持具１０の構成と共通する構成については、同じ符号を用いて示すとともに、その説明を省略する。
【００４０】
支柱１３は、図１３に示すように、その横断面形状が略コ字状をなしており、前方に突出した端面１３ｃ，１３ｃにペール缶１Ｂの周面を近接させるようにして、ペール缶１Ｂを支柱１３に近接配置可能とされている。
【００４１】
支柱１３の下端部に取り付けられ水平方向に延びる下板１４Ｂの上面２４には、ペール缶１Ｂの下側縁部５の厚み方向の支柱１３とは反対側、且つ支柱１３の左右方向の中心を通る中心線２５に対して対称の位置に、上向きに突出する下板突条部としてのブロック体２６Ｂ，２６Ｂがネジ固定されている。ブロック体２６Ｂは、同図に示すように、支柱１３に近接配置されたペール缶１Ｂの環状をなす下側縁部５の内側に位置する。
【００４２】
次に、缶体保持具１０Ｂの上側部位の構造について説明する。支柱１３の上端部には、図１２に示すように、回動可能に支持された上板１６Ｂと、上板１６Ｂの鉛直方向の移動を規制するとともに上板１６Ｂの水平方向の移動を許容するガイド部材３５が設けられている。ガイド部材３５は、支柱１３の上端を覆う平板状の第１ガイド部材３６Ｂと、第１ガイド部材３６Ｂの上面に取り付けられた一対の第２ガイド部材３８，３８にて構成されている。
【００４３】
第１ガイド部材３６Ｂは、水平方向に延びる平板状の部材で、上板１６Ｂの下側に位置して上板１６Ｂを水平状態で支持する部材である。第１ガイド部材３６Ｂは、図１４に示すように、前側の辺がペール缶１Ｂの周面に対応した凹状の円弧で形成されている。
【００４４】
上板１６Ｂの下面には、ペール缶１Ｂの上側縁部６の厚み方向の支柱１３とは反対側で、且つ中心線２５に対して対称の位置に、下向きに突出する上板突条部としてのブロック体４６Ｂ，４６Ｂがネジ固定されている。ブロック体４６Ｂは、上板１６Ｂのストッパ片４１を第２ガイド部材３８の前端面４０に当接させた状態（図１４に示す状態）で、支柱１３に近接配置されたペール缶１Ｂの環状をなす上側縁部６の内側に位置している。なお、本例では、下板突条部としてのブロック体２６Ｂおよび上板突条部としてのブロック体４６Ｂをそれぞれ直方体形状としているが、例えば、それぞれの側面２７，４７をペール缶１Ｂの下側縁部５，上側縁部６に沿った湾曲面で構成するなど、下板突条部および上板突条部の形態は適宜変更可能である。
【００４５】
このように構成された缶体保持具１０Ｂでは、ペール缶１Ｂの下端側は、缶体保持具１０Ｂの支柱１３の下端部及び下板１４Ｂを含む下端側部位にて保持され、また、ペール缶１Ｂの上端側は、缶体保持具１０Ｂの支柱１３の上端部及び上板１６Ｂを含む上端側部位にて保持される。そして使用者は、上下方向の２箇所に設けられた取手部３２，４５を掴んで、缶体保持具１０Ｂとともにペール缶１Ｂを持ち上げ、更に傾けることで、ペール缶１Ｂの内容物を、上部開口を通じて注出することができる。
【００４６】
以上本発明の実施形態を詳述したがこれらはあくまでも一例示である。例えば上記実施形態では、下板突条部および上板突条部をそれぞれ缶体の縁部に沿って離間した２つの箇所に設けているが、これら下板突条部および上板突条部は１つ若しくは３つ以上の箇所に設けることも可能である。また、異なる高さの一斗缶もしくはペール缶を保持できるように、支柱１２もしくは１３の高さ（鉛直方向長さ）を可変とする支柱高さ調節手段を設けておくことも可能である等、本発明は、その趣旨を逸脱しない範囲において様々変更を加えた形態で実施可能である。
【符号の説明】
【００４７】
１  一斗缶（缶体）
１Ｂ  ペール缶（缶体）
５  下側縁部
６  上側縁部
１０，１０Ｂ  缶体保持具
１２，１３  支柱
１４，１４Ｂ  下板
１６，１６Ｂ  上板
２０，２２  把持部材
２６，２６Ｂ  ブロック体（下板突条部）
３５  ガイド部材
４６，４６Ｂ  ブロック体（上板突条部）
【図１】
2020128277.tif 000003
【図２】
2020128277.tif 000004
【図３】
2020128277.tif 000005
【図４】
2020128277.tif 000006
【図５】
2020128277.tif 000007
【図６】
2020128277.tif 000008
【図７】
2020128277.tif 000009
【図８】
2020128277.tif 000010
【図９】
2020128277.tif 000011
【図１０】
2020128277.tif 000012
【図１１】
2020128277.tif 000013
【図１２】
2020128277.tif 000014
【図１３】
2020128277.tif 000015
【図１４】
2020128277.tif 000016